(57)【要約】  通信システムは、ユーザのデバイスコンポーネント（１２）にリンクされたインタフェース（２５〜２７）を有するアダプタ（１０）を備える。ターミナルコントローラ（２９）がコンポーネントを動的に即時に関連付けて移動局を提供する。従って、航空機の乗客は、便利な位置に設けられたリーダ（２２）にＳＩＭカードを挿入し、かつ機内エンターテイメント入出力装置を用いて、携帯電話の発呼及び着呼をすることができる。また、アダプタ（１０）は、有線内部ネットワーク通信によるＢＳＣ（３）との直接的な通信のためにＢＴＳエミュレータ（３０）を有する。これにより、ＢＴＳ無線リンクに対する移動局の必要性が回避される。
2007502069.tif 000002
【特許請求の範囲】
【請求項１】
ユーザコンポーネントと通信するための複数のユーザ側インタフェース（２５〜２８）と、前記インタフェース（２５〜２８）に接続されたユーザコンポーネントを動的に関連付けて、即時に少なくとも１つの移動局を提供するためのターミナルコントローラと、ネットワーク側インタフェースを介してモバイルネットワークエンティティと通信するためのモバイルネットワークエンティティエミュレータ（３０）とを備えるモバイルネットワークのためのターミナルアダプタ。
【請求項２】
前記ユーザ側インタフェースが音声入力／出力コンポーネントとのインタフェース（２５）を備える請求項１に記載のターミナルアダプタ。
【請求項３】
前記インタフェース（２５）が機内エンターテイメントシステムの入力／出力デバイスと通信する請求項２に記載のターミナルアダプタ。
【請求項４】
前記ユーザ側インタフェースがユーザディスプレイ装置とのインタフェース（２６）を有する請求項１乃至３のいずれかに記載のターミナルアダプタ。
【請求項５】
前記インタフェース（２６）が機内エンターテイメントシステムのディスプレイ装置と通信する請求項４に記載のターミナルアダプタ。
【請求項６】
前記ユーザ側インタフェースが加入者識別モジュールリーダとのインタフェース（２７）を有する請求項１乃至５のいずれかに記載のターミナルアダプタ。
【請求項７】
前記ユーザ側インタフェースがデータ入力／出力デバイスとのインタフェース（２８）を有する請求項１乃至６のいずれかに記載のターミナルアダプタ。
【請求項８】
前記ターミナルコントローラ（２９）が、リーダのユーザコンポーネントへの加入者識別モジュールの挿入の検出時にコンテキストを即時に確立することにより、ユーザコンポーネントを動的に関連付ける請求項１乃至７のいずれかに記載のターミナルアダプタ。
【請求項９】
前記コンテキストがユーザインタフェースコンポーネントにバインドすることを含む請求項８に記載のターミナルアダプタ。
【請求項１０】
前記ターミナルコントローラが、前記モバイルネットワークについて利用可能なよりも多くの帯域幅を現在の使用が必要とする場合に、待ち行列を動的に管理する請求項１乃至９のいずれかに記載のターミナルアダプタ。
【請求項１１】
前記ネットワーク側インタフェースが、それと通信するネットワークエンティティが内部ネットワーク操作について従来の方法で動作するように前記ネットワークエンティティをエミュレートする請求項１乃至１０のいずれかに記載のターミナルアダプタ。
【請求項１２】
前記アダプタが、モバイル設備装置をユーザコンポーネントと動的にリンクさせて移動局を完成する請求項１乃至１１のいずれかに記載のターミナルアダプタ。
【請求項１３】
前記モバイル設備装置がソフトウエアでエンコードされている請求項１０に記載のターミナルアダプタ。
【請求項１４】
前記モバイル設備装置がハードウエアで構成されている請求項１乃至１２のいずれかに記載のターミナルアダプタ。
【請求項１５】
前記エミュレータ（３０）が、信号化、音声ストリーム及びデータストリームを取り扱う物理的なインタフェース及びプロトコルスタックを有する請求項１乃至１４のいずれかに記載のターミナルアダプタ。
【請求項１６】
前記エミュレータ（３０、５１、６１）が、前記プロトコルスタック及びインタフェースとのアプリケーションプログラミングインタフェース（ＡＰＩ）を更に有する請求項１５に記載のターミナルアダプタ。
【請求項１７】
前記ターミナルコントローラ（２９）が、前記ＡＰＩを介して前記エミュレータ（３０、５１、６１）と通信する請求項１６に記載のターミナルアダプタ。
【請求項１８】
前記ターミナルコントローラ（２９）が、前記コンテキストの操作として前記エミュレータのＡＰＩに動的にバインドする請求項８乃至１６のいずれかに記載のターミナルアダプタ。
【請求項１９】
前記エミュレータが、着信するネットワークトラフィックをモニタし、かつ着信するトラフィック情報を前記エミュレータに伝達するための信号モニタ（６３）を有する請求項１乃至１８のいずれかに記載のターミナルアダプタ。
【請求項２０】
前記信号モニタ（６３）がモバイルネットワーク要素の間に存在する請求項１９に記載のターミナルアダプタ。
【請求項２１】
請求項１乃至２０のいずれかに記載されるターミナルアダプタとモバイルネットワークエンティティとからなり、該モバイルネットワークエンティティの少なくとも１つが前記ターミナルアダプタの前記エミュレータとリンクされているモバイルネットワーク通信システム。
【発明の詳細な説明】
【技術分野】
【０００１】
本発明は、限定するものではないが、特に船舶及び航空機のような乗物のための携帯電話ネットワークに関する。
【背景技術】
【０００２】
一定の環境下において、無線通信は航空機又は船舶内の他の機器とインタフェースすることができ又はそのように理解されている。また、無線通信は、航空機又は船舶外の他の無線通信機器とインタフェースすることができ又はそのように理解されている。
【発明の開示】
【発明が解決しようとする課題】
【０００３】
別の問題は、乗物対地上通信について使用可能な帯域幅が制限されており、そのためにこの帯域幅の使用を最適化しなければならないことである。従って、船舶又は航空機に乗っているユーザが携帯電話の識別を便利に用いることができるシステム及び方法が必要である。
【課題を解決するための手段】
【０００４】
本発明によれば、ユーザコンポーネントと通信するための複数のユーザ側インタフェースと、前記インタフェースに接続されたユーザコンポーネントを動的に関連付けて、即時に少なくとも１つの移動局を提供するためのターミナルコントローラと、ネットワーク側インタフェースを介してモバイルネットワークエンティティと通信するためのモバイルネットワークエンティティエミュレータとを備えるモバイルネットワークのためのターミナルアダプタが提供される。従って、前記アダプタは、一時的に関連付けられたコンポーネントからなる「論理的」移動局をモバイルネットワークの中心に持ってくる。これにより、移動局から送受信機への従来のリンクが回避される。また、制限された数のコンポーネントのセットを、より多くの潜在的なユーザに移動通信サービスを提供するために用いることができるようになる。
【０００５】
或る実施例では、前記ユーザ側インタフェースが音声入力／出力コンポーネントとのインタフェースを有する。
別の実施例では、前記インタフェースが機内エンターテイメントシステムの入力／出力装置と通信する。
更に別の実施例では、ユーザ側インタフェースがユーザディスプレイ装置とのインタフェースを有する。
或る実施例では、前記インタフェースが機内エンターテイメントシステムのディスプレイ装置と通信する。
別の実施例では、前記ユーザ側インタフェースが加入者識別モジュールリーダとのインタフェースを有する。
更に別の実施例では、前記ユーザ側インタフェースがデータ入力／出力装置とのインタフェースを有する。
【０００６】
或る実施例では、前記ターミナルコントローラが、リーダのユーザコンポーネントへの加入者識別モジュールの挿入の検出時にコンテキストを即時に確立することにより、ユーザコンポーネントを動的に関連付ける。
別の実施例では、前記コンテキストが、ユーザのインタフェースコンポーネントにバインドすることを含む。
【０００７】
更に別の実施例では、前記ターミナルコントローラが、前記モバイルネットワークについて利用可能なよりも多くの帯域幅を現在の使用が必要とする場合に、待ち行列を動的に管理する。
【０００８】
或る実施例では、前記ネットワーク側インタフェースが、それと通信するネットワークエンティティが内部ネットワーク操作について従来の方法で動作するように前記ネットワークエンティティをエミュレートする。
【０００９】
別の実施例では、前記アダプタが、モバイル設備装置をユーザの装置と動的にリンクさせて移動局を完成させる。
更に別の実施例では、前記モバイル設備装置がソフトウエアでエンコードされている。
或る実施例では、前記モバイル設備装置がハードウエアで構成されている。
【００１０】
別の実施例では、前記エミュレータが、信号化、音声ストリーム及びデータストリームを取り扱う物理的なインタフェース及びプロトコルスタックを有する。
更に別の実施例では、前記エミュレータが、前記プロトコルスタック及びインタフェースとのアプリケーションプログラミングインタフェース（ＡＰＩ）を更に有する。
或る実施例では、前記ターミナルコントローラがＡＰＩを介してエミュレータと通信する。
別の実施例では、前記ターミナルコントローラが前記コンテキストの操作として前記エミュレータのＡＰＩに動的にバインドする。
【００１１】
更に別の実施例では、前記エミュレータが、着信するネットワークトラフィックをモニタし、かつ着信するトラフィック情報を前記エミュレータに伝達するための信号モニタを有する。
或る実施例では、前記信号モニタがモバイルネットワーク要素間に存在する。
【００１２】
本発明の別の側面では、上述したターミナルアダプタとモバイルネットワークエンティティとからなり、該モバイルネットワークエンティティの少なくとも１つが前記ターミナルアダプタの前記エミュレータとリンクされているモバイルネットワーク通信システムが提供される。
【発明を実施するための最良の形態】
【００１３】
本発明は、添付図面を参照しつつ、以下にその単なる実施例として記載される幾つかの実施態様の詳細な説明から、より明確に理解することができる。
図１に関し、通信システム１は、
無線基地局（ＢＴＳ）２と、
ＧＳＭ  Ａｂｉｓインタフェース１５によりＢＴＳ２と接続された基地交換局（ＢＳＣ）３と、
ＧＳＭ  ＡインタフェースによりＢＳＣ３と接続された移動通信交換局（ＭＳＣ）４とを備える。
【００１４】
通信システム１は更に、一方においてユーザ端末装置１２とインタフェースし、かつ他方においてＡｂｉｓインタフェースを介してＢＳＣ３とインタフェースするターミナルアダプタ３を備える。破線で示すように、別の実施例では、ＧＳＭ  ＵｍインタフェースによりアダプタがＢＴＳ２とリンクし、かつ更に別の実施例では、ＧＳＭ  ＡインタフェースによりアダプタがＭＳＣ４とリンクされる。前記ＭＳＣは、図示しない衛星リンクを介して地上局と通信する。このように、前記システムは基本的に乗物又は航空機と共に移動可能なモバイルネットワークである。
【００１５】
図２に関し、アダプタ１０のユーザ側において、ユーザ端末装置１２は次のものを備える。
２０：加入者が音声信号を送信しかつ受信するために使用する音声装置。これらの音声装置は、有線リンクを用いてアダプタ１０と接続される。音声装置２０は、機内エンタテインメント（ＩＦＥ）システムで使用されるようなヘッドセット（イヤホン）とマイクロフォンとの組み合わせである。
【００１６】
２１：発呼及び着呼、メッセージの送信及び受信、ＳＩＭ／ＵＳＩＭインタラクション（ＰＩＮ管理、電話帳管理など）、呼び出しレジスタの使用、及び他の従来の携帯電話の操作を制御するユーザインタフェース装置。これらのユーザインタフェース装置２１は、画面とキーパッドとを有する。前記キーパッドは、或る実施例ではタッチスクリーンに置き換えることができる。これらの音声装置は、有線リンクを介してアダプタ１０に接続される。
【００１７】
２２：その中に配置されたＳＩＭ／ＵＳＩＭからデータを読み出し、前記ＳＩＭ／ＵＳＩＭにデータを書き込み、かつ前記ＳＩＭ／ＵＳＩＭ上で操作を呼び出すためのＳＩＭ／ＵＳＩＭリーダ。前記ＳＩＭ／ＵＳＩＭカードは、電話番号の格納及びユーザの確認のような従来のＧＳＭコール処理操作を支援するために用いられる。ＳＩＭ／ＵＳＩＭリーダ２２とアダプタ１０間のリンクは有線である。別の実施例では、ＳＩＭ／ＵＳＩＭ機能を、物理的カードが存在することを必要としないソフトウェアで実行することができる。
【００１８】
２３：ユーザ装置に接続してデータコールを発信しかつ受信するためのデータ入力／出力ポート。これらの装置には、限定するものではないが、ラップトップ、ＰＤＡ、遠隔測定装置、カードリーダ、ＲＦＩＤタグリーダ、又は携帯電話ネットワークを介してデータを送信し又は受信するために必要な他の計算装置が含まれる。これらの装置は、有線リンクを用いてアダプタ１０と接続される。
【００１９】
アダプタ１０は、音声入出力装置２０、ユーザインタフェース２１，リーダ２２、及び前記データ入出力装置とそれぞれ通信するための内部インタフェース２５〜２８を有する。インタフェース２５〜２８はそれぞれ、ソフトウェアターミナルコントローラ２９内にハードウェアのポート及び機能を備える。コントローラ２９は、様々なユーザ側装置を動的に関連付けて、それぞれに一時的にのみ関連付けられる全く異なる部品からなる多数の移動局を即時に提供する。例えば、航空機内の各シートがユーザ装置１２のセットを有し、またそのいくつかが機内エンタテインメント機器である。しかしながら、従って２００セットのユーザ機器が存在し得るが、コントローラ２９が一度に動的に形成し得る移動局は数個に過ぎないであろう。これが、利用可能な衛星対地上リンクの最適な使用を助け、全ての乗客がそのＳＩＭカードをリーダ２２内で反転させることにより発呼／着呼を行うオプションを持っているが、いつでも数個の局が構成されるだけである。
【００２０】
ターミナルコントローラ２９は、ＳＩＭが存在すること及びＳＩＭが取り外されていることのような事象について、ＳＩＭリーダインタフェース２７を連続的にモニタする。前記ＳＩＭリーダとコントローラ２９間でハードウェアインタフェースを用いてコマンド及びデータが交換される。前記音声入出力装置への及びそれからの音声信号は、ネットワーク側で使用されるインタフェースによって適当な形式（ＧＳＭ  １６ｋＢｉｔ／Ｓ又は６４ｋＢｉｔ／ＳのＰＣＭのような）へと又はそれからトランスコードされる。ユーザ側における前記データ入出力装置への及びそれからのデータストリームは、ネットワーク側で使用されるインタフェースによって適当な形式（ＧＳＭ／ＧＰＲＳ又はＧＳＭ／ＣＳＤのような）へと又はそれからトランスコードされる。
【００２１】
コントローラ２９は、ユーザの環境に適合するようにカスタマイズすることができるユーザインタフェース装置と通信するためのオープンインタフェースを有する。この通信はウェブベース（例えば、ＨＴＴＰ／ＨＴＭＬベース）である。新しいＳＩＭカードが検出される毎に、コントローラ２９は、特定のユーザ及び前記事象を処理するために関連付けることを必要とするネットワークデバイスを識別するコンテキストを作成する。コントローラ２９は、ＢＴＳエミュレータ３０へのＡＰＩ及びユーザインタフェース２１へのＡＰＩのように必要とするＡＰＩとバインドする。コントローラ２９は、このコンテキストと前記ＡＰＩとを用いて、関連付けられている前記デバイス及びＡＰＩへ又はそれからデータ及び信号情報を送る。前記ＳＩＭがもはや存在しない場合、コントローラ２９は前記ＡＰＩ及び装置を解放し、かつ次に、前記装置を新しいセッションに、おそらくは異なるＳＩＭ又はユーザについて使用できるように、前記コンテキストを削除する。
【００２２】
このように、航空機内の乗客は、便利に配置されたリーダ２２にそのＳＩＭカードを挿入しかつ機内エンタテインメント装置を用いて、発呼及び着呼を行うことができる。前記ユーザ側コンポーネントと前記アダプタ間のリンクは無線である。また、前記移動局は必要に応じて「形成される」だけであり、従ってその数は乗客の数よりはるかに少ないことであろう。これが、リソース及び地上への利用可能な帯域幅の使用を最適化する。
【００２３】
ネットワーク側では、アダプタ１０が、ＢＳＣ３と通信するためのＢＴＳエミュレータ３０を有する。ＢＴＳエミュレータ３０は、
ＩＰ（イーサネット）ベース又はＣＥＰＴ  Ｅ１ベースの、前記ＢＳＣとの物理的インタフェースと、
前記ＢＳＣへの又はそれからの信号、音声ストリーム、データストリーム及び操作保守データを処理するプロトコルスタックと、
これらプロトコルスタック及びインタフェースへのＡＰＩとを備える。
【００２４】
上述したＡＰＩは、ターミナルコントローラ２９がユーザ装置１２とＢＳＣ３間で情報を交換するのに使用される。この位置更新処理の相互動作の一例が、図３のメッセージシーケンス図に示されている。この図において、ＢＴＳエミュレータ３０とＢＳＣ３間で交換されるメッセージは、標準的なＧＳＭメッセージである。
【００２５】
アダプタ１０内でネットワーク要素をエミュレートする主な利点は、ＧＳＭネットワークの無線部分をバイパスできるようにし、それにより航空機のような敏感な環境で潜在的な無線周波数の障害が防止されることである。更に、標準化されたネットワーク要素をエミュレートすることによって、標準のインタフェースを用いて未変更の携帯電話ネットワークエンティティに接続することが可能である。
【００２６】
図４に関し、ターミナルアダプタ５０はユーザ側においてアダプタ１０に類似し、類似部分には同じ参照符号を付されている。しかしながら、そのネットワーク側には、ＢＴＳ／ＢＳＣエミュレータ５１を有する。これは、
ＣＥＰＴ  Ｅ１ベースの、ＭＳＣ４との物理的インタフェースと、
ＭＳＣ４への又はそれからの信号、音声ストリーム及びデータストリームを処理するプロトコルスタックと、
これらのプロトコルスタック及びインタフェースへのＡＰＩとを備える。
【００２７】
上述したＡＰＩは、ターミナルコントローラ２９がユーザ装置１２と前記ＭＳＣ間で情報を交換するために使用する。この位置更新処理の相互動作の一例が、図５のメッセージシーケンス図に示されている。この図において、ＢＴＳ／ＢＳＣエミュレータ５１とＭＳＣ４間で交換されるメッセージは標準的なＧＳＭメッセージである。
【００２８】
図６に関し、別のターミナルアダプタ６０は移動局エミュレータ６１を有する。エミュレータ６１は、ＧＳＭ−ＵｍインタフェースをネットワークのＢＴＳ２に提供するＮ個のハードウェアモバイル設備装置（ＭＥ）６２を有する。また、アダプタ６０は、ＢＴＳ２とＢＳＣ３間に配置された信号モニタ６３を備える。
【００２９】
より詳細に言えば、移動局エミュレータ６１は、
発呼及び着呼、メッセージ又は登録のような移動管理事象を処理する必要がある場合にユーザ装置１２に動的に割り当てられるモバイル設備装置（ＭＥ）６２と、
ＭＥ６２をＢＴＳ２に連携させる有線ＲＦネットワークと、
着信する携帯電話ネットワークの信号トラフィックをモニタする信号モニタ６３と、
前記エミュレータのコアを信号モニタ６３にリンクさせる有線ネットワーク６４とを備える。
【００３０】
以下に、本発明の通信システムの動作をより詳細に説明する。これは、大きく５つの部分に、即ち、
登録、
モバイル発信サービス要求（例えば、ＭＯ音声コール、ＭＯ  ＳＭＳ、ＭＯデータコール）、
モバイル着信サービス要求（例えば、ＭＴ音声コール、ＭＴ  ＳＭＳ、ＭＴデータコール）、
デタッチ、
ＳＩＭ／ＵＳＩＭサービスに分けることができる。
それぞれについて順に説明する。
【００３１】
Ａｂｉｓインタフェースを有する実施例（図２）
（ｉ）登録
ユーザは、そのＳＩＭ／ＵＳＩＭカードをＳＩＭ／ＵＳＩＭリーダ２２のスロットに挿入する。ＳＩＭ／ＵＳＩＭで活性化された状態の場合、ターミナルアダプタ１０はユーザにユーザインタフェース２１でＰＩＮ番号を入力することを促す。アダプタ１０はＳＭＩ／ＵＳＩＭの挿入を検出して、標準的な携帯電話登録メッセージをＢＳＣ３に送ることによって、登録処理を開始する。
【００３２】
登録要求は、ＧＳＭエンティティ３、４が従来の方法で処理する。
ＧＳＭネットワークからの確認要求は、ターミナルアダプタが関連付けたＳＩＭ／ＵＳＩＭリーダ２２内のＳＩＭ／ＵＳＩＭを用いて処理する。
一旦登録が前記ＧＳＭネットワークにより確認されると、ターミナルアダプタ１０は前記ユーザを活性な状態にあるものとして登録する。
ＴＭＳＩのようなネットワークにより提供されるあらゆる情報が、前記ＳＩＭ／ＵＳＩＭ上に格納される。
【００３３】
前記処理がいかなる理由にせよ、失敗すると、ターミナルアダプタ１０は適当なメッセージをユーザコンソールに送信することになる。前記処理が首尾良く行われた場合には、ターミナルアダプタ１０はユーザインタフェース２１に指示を送り、それが「Service Available」のような適当なメッセージを表示する。
【００３４】
ここで、前記ユーザは呼及びメッセージを送信しかつ受信することができる。また前記ユーザは、電話帳のような前記ＳＩＭ／ＵＳＩＭにより提供されるサービスを用いることができる。
【００３５】
（ii）モバイル発信サービス要求
モバイル発信サービス要求には、音声コール、ＳＭＳメッセージ、データコール及び補完的なサービス要求が含まれる。ユーザは、要求されたサービスのコード（例えば、電話番号、補完的なサービスコード）をユーザインタフェース２１上で構成して、「送信」オプションを選択する。
【００３６】
アダプタ１０は、ユーザインタフェース２１から前記コードを受け取り、かつ標準的なサービス要求を前記ＧＳＭネットワークに送る。前記サービス要求は、ＧＳＭネットワークが従来の方法で処理する。前記処理が何らかの理由で失敗した場合、ターミナルアダプタ１０は適当なメッセージをユーザインタフェース１２に送ることになる。
【００３７】
（iii）モバイル着信サービス要求
モバイル着信サービス要求には、音声コール、ＳＭＳメッセージ及びデータコールが含まれる。
【００３８】
前記システムにログオンした全てのユーザは、従来のＧＳＭ  ＢＴＳのように動作するアダプタ１０上に配置されかつキャンプオンされたものとして前記ＧＳＭネットワークに登録される。従って、着信するサービス要求は、前記ＧＳＭネットワークが従来の方法でページング要求をアダプタ１０に送ることになる。
【００３９】
ユーザは、ユーザインタフェース２１により前記着信したサービス要求が通知される。音声コールの場合には、ユーザは要求を受諾又は拒絶するかを選択することができる。着信するＳＭＳの場合には、前記メッセージが前記ＳＩＭ／ＵＳＩＭに格納されることになる。発呼者識別のようなネットワークにより提供されるあらゆる情報が、前記ＳＩＭ／ＵＳＩＭ上に格納される。前記処理がいかなる理由にせよ、失敗した場合には、アダプタ１０は適当なメッセージをユーザインタフェース２１に送ることになる。
【００４０】
（iv）デタッチ
ユーザは、そのＳＩＭ／ＵＳＩＭをＳＩＭ／ＵＳＩＭリーダ２２のスロットから取り出す。ＳＩＭ／ＵＳＩＭリーダ２２はＳＩＭ／ＵＳＩＭ取り外しの指示をアダプタ１０に送る。ユーザのアダプタ１０は、標準的なデタッチ要求を前記ＧＳＭネットワークに送る。前記デタッチ要求は、前記ＧＳＭネットワークが従来の方法で処理する。
【００４１】
前記処理が首尾良く行われた場合、アダプタ１０はユーザインタフェース２１に指示を送り、それが「Please Insert SIM/USIM」のような適当なメッセージを表示する。
【００４２】
（v）ＳＩＭ／ＵＳＩＭサービス
ＳＩＭ／ＵＳＩＭサービスには、限定するものではないが、電話帳管理、セキュリティ機能（ＰＵＫ、ＰＩＮ変更）、ＳＩＭツールキットアプリケーション、及びＪａｖａ（登録商標）アプリケーションが含まれる。
【００４３】
一旦ユーザがそのＳＩＭ／ＵＳＩＭを挿入しかつ関連付けたＰＩＮコードを正しく入力すると、全てのＳＩＭサービスがユーザインタフェース２１において前記ユーザに利用可能になる。
【００４４】
Ａインタフェースを有する実施例（図４）
この場合には、アダプタ１０がＭＳＣ４と直接インタフェースし、かつ操作がＡｂｉｓインタフェースを有する図２の実施例について上述したものと殆ど同じようなものである。
【００４５】
Ｕｍインタフェースを有する実施例（図６）
前記アダプタがＭＳエミュレータ６１を有する実施例に関し、その各ステップを以下に説明する。
【００４６】
この実施例では、多数のハードウエアのモバイル機器（ＭＥ）６２が存在するのに対し、図２及び図４の実施例ではこの機能がソフトウエアで実行されていることに注意すべきである。
【００４７】
（ｉ）登録
一旦アダプタ６０がユーザのＰＩＮを首尾良く受信すると、前記処理の間、ＭＥ６２を前記ユーザに割り当てる。一般に、ユーザ装置１２よりも少ない数のＭＥ６２装置が存在する。使用可能なＭＥ６２がない場合には、アダプタ６０は、それが使用可能になるまで登録要求を待機させ、その後に前記処理を続ける。アダプタ６０は、オペレータの選択によって様々な要求（登録、ＳＭＳ、ＭＴコール、ＭＯコールなど）に対して優先順位を与えるように構成される。
一旦登録処理が完了すると、ＭＥ６２は解放され、かつ別の操作について利用可能になる。
【００４８】
（ii）モバイル発信サービス要求
一旦アダプタ６０がユーザからサービス活性化を首尾良く受信すると、前記処理の間、ＭＥ６２を前記ユーザに割り当てる。一般に、ユーザ装置１２よりも少ない数のＭＥ装置が存在する。使用可能なＭＥ６２がない場合には、アダプタ６０は、それが使用可能になるまでＭＯサービス要求を待機させ、その後に前記処理を続ける。アダプタ６０は、オペレータの選択によって様々な要求（登録、ＳＭＳ、ＭＴコール、ＭＯコールなど）に対して優先順位を与えるように構成することができる。
一旦ＭＯサービス要求処理が完了すると、ＭＥ６２は解放され、かつ別の操作について利用可能になる。
【００４９】
（iii）モバイル着信サービス要求
モバイル着信サービス要求には、音声コール、ＳＭＳメッセージ及びデータコールが含まれる。
【００５０】
前記システムにログオンした全てのユーザは、従来のＭＳのように動作するアダプタ１０上に配置されかつキャンプオンされたものとして前記ＧＳＭネットワークに登録される。従って、着信するサービス要求は、前記ＧＳＭネットワークが従来の方法でページング要求をアダプタ１０に送ることになる。
【００５１】
ＭＳ６２が動的に割り当てられるので、前記ページング要求は信号モニタ６３において傍受され、それがアダプタ６０に未処理のページング要求及び関連するＩＭＳＩを示すメッセージを送る。このメッセージはリンク６４上で送られる。
アダプタ６０は、利用可能なモバイル機器６２を選択して、このＭＥ６２を、前記処理の間、前記ＩＭＳＩに関連付けした装置１２に関連付ける。
【００５２】
利用可能なＭＥ６２がない場合、アダプタ６０は前記要求を（設定可能な時間の間）、それが利用に可能になるまで待機させ、かつ次に前記処理を続ける。前記タイマーが終了する前にＭＥ６２が利用可能にならない場合には、アダプタ６０は信号モニタ６３を指示して、前記ページング要求を放棄させる。アダプタ６０は、オペレータの選択によって様々な要求（登録、ＳＭＳ、ＭＴコール、ＭＯコールなど）に優先順位を与えるように構成することができる。
【００５３】
一旦ＭＥ６２が準備された状態になると、アダプタ６０は前記信号モニタを指示して前記未処理のページング要求をＢＴＳに送らせる。ＢＴＳには、従来の方法でＭＥ６２をページングする。
一旦ＭＴサービス要求処理が完了すると、前記ＭＥは解放されて、別の操作に利用可能になる。
【００５４】
（iv）デタッチ
一旦アダプタ６０がＳＩＭ／ＵＳＩＭ取り外し指示を受信すると、前記処理の間、ＭＥ６１を前記ユーザに割り当てる。一般に、ユーザ装置１２よりも少ない数のＭＥ装置が存在する。使用可能なＭＥ６１がない場合には、アダプタ６０は、それが使用可能になるまで登録要求を待機させ、その後に前記処理を続ける。アダプタ６０は、オペレータの選択によって様々な要求（登録、ＳＭＳ、ＭＴコール、ＭＯコールなど）に対して優先順位を与えるように構成することができる。
一旦デタッチ処理が完了すると、ＭＥ６２は解放され、かつ別の操作について利用可能になる。
【００５５】
本発明全体を考慮すると、ユーザ装置は、従来の移動局（ＭＳ）対ＢＴＳインタフェースにおいて無線で通信するよりもむしろ、モバイルネットワークの一部となるように他のエンティティと直接統合されていることが分かる。これは、無線インターフェースが障害を起こさせるような認識がある、航空機のような環境にとって非常に有利である。
【００５６】
別の主な利点は、アダプタ１０がユーザ装置１２（ＳＩＭ／ＵＳＩＭリーダ、ユーザインタフェース、音声入出力装置及びデータ入出力ポート）及びＧＳＭ  Ａｂｉｓ、Ａ又はＵＭインタフェースに亘る操作を調整することである。ＧＳＭの言い方では、これは、従来のＧＳＭ無線周波数コンポーネントなしで、仮想複合移動局及びＢＳＳ要素を構成する。ユーザがその自分のＳＩＭ又はＵＳＩＭカードを使用できることが非常に重要である。これによって、ローミング及び課金の識別能力、セキュリティ及び詐欺防止の確認、及び電話帳並びにパーソナライゼーション情報のようなカード記憶機能が提供される。多くの場合には、前記仮想複合移動局を、機内エンタテイメントシステムのような既存の設備を用いて実現することができる。
【００５７】
本発明は上述した実施例に限定されるものでなく、その構成及び詳細において様々に変化させることができる。例えば、ユーザ装置（ＳＩＭ／ＵＳＩＭリーダ、ユーザインタフェース、音声入出力装置及びデータ入出力装置）及びユーザターミナルアダプタ１０は、単一のモジュールとして実現することができる。別の変更例では、Ａ又はＡｂｉｓを用いてＧＳＭネットワークにインタフェースする代わりに、前記システムはＵＭＴＳ、ＣＤＭＡ、ＴＤＭＡなどのような他の従来の携帯電話ネットワークと同様にしてインタフェースする。また、前記装置間の幾つかの通信リンクは、それが干渉の虞を招かない限り、無線にすることができる。１つの実施例は、前記ＳＩＭリーダがブルートゥース無線インタフェースを介して前記アダプタと通信することである。
【図面の簡単な説明】
【００５８】
【図１】本発明の通信システムを示す図である。
【図２】前記システムのユーザ端末装置及びターミナルアダプタをより詳細に示す図である。
【図３】図２のシステムの操作の様々な面を示すメッセージシーケンス図である。
【図４】別の実施例のターミナルアダプタを示す図である。
【図５】図４のアダプタの操作を示すメッセージシーケンス図である。
【図６】更に別の実施例のターミナルアダプタを示す図である。
【図１】
2007502069.tif 000003
【図２】
2007502069.tif 000004
【図３】
2007502069.tif 000005
【図４】
2007502069.tif 000006
【図５】
2007502069.tif 000007
【図６】
2007502069.tif 000008
【国際調査報告】
2007502069.tif 000009
2007502069.tif 000010
2007502069.tif 000011